(57)【要約】【課題】肌評価の結果，肌状態の説明および美容皮膚科施術の案内を患者に提示し易く、且つ管理が容易な美肌診断支援システムおよび美肌診断支援プログラムを提供することを目的とする。【解決手段】測定による肌状態の評価と美容皮膚科診療の導入とを支援する美肌診断支援システムであって、患者を測定した測定データから患者の肌状態を美しい肌の要素で表した肌評価の美肌総合評価画面を表示する美肌総合評価画面処理手段と、測定データから患者の肌状態を所定の項目毎に表した状態画面を表示する状態画面処理手段と、患者の肌の状態を説明する為の説明画面を表示する説明画面処理手段と、美容皮膚科施術を案内する為の案内画面を表示する案内画面処理手段とを有し、美しい肌の要素は、１つ以上の項目から構成されることにより上記課題を解決する。【選択図】  図３
2007130104.tif 000002
【特許請求の範囲】
【請求項１】
測定による肌状態の評価と美容皮膚科診療の導入とを支援する美肌診断支援システムであって、
患者を測定した肌診断機器から測定データを受信し、前記測定データから前記患者の肌状態を美しい肌の要素で表した肌評価の美肌総合評価画面を作成して表示装置に表示する美肌総合評価画面処理手段と、
前記測定データから前記患者の肌状態を所定の項目毎に表した状態画面を作成して表示装置に表示する状態画面処理手段と、
前記患者の肌の状態を説明する為の説明画面を記憶装置から読み出して表示装置に表示する説明画面処理手段と、
美容皮膚科施術を案内する為の案内画面を記憶装置から読み出して表示装置に表示する案内画面処理手段とを有し、
前記美しい肌の要素は、１つ以上の前記項目から構成されることを特徴とする美肌診断支援システム。
【請求項２】
前記美しい肌の要素は、色，形，面および質であり、
前記色が項目「くすみ」及び「シミ・ソバカス」から構成され、前記形が項目「目もとのしわ」及び「ほおのたるみ」から構成され、前記面が項目「毛穴の目立ち」及び「にきびのできやすさ」から構成され、前記質が項目「きめの状態」から構成されていることを特徴とする請求項１記載の美肌診断支援システム。
【請求項３】
前記美肌総合評価画面処理手段は、前記色，形および面を構成する１つ以上の前記項目を放射線状に並べられた複数の軸に割り当て、前記項目の値を表す前記軸上の位置と前記複数の軸の接続点とを囲んだ部分の面積により、前記色，形および面を表すことを特徴とする請求項２記載の美肌診断支援システム。
【請求項４】
前記美肌総合評価画面処理手段は、前記色，形および面を表す風車状に並べられた前記部分を視覚的に異ならせて表示することを特徴とする請求項３記載の美肌診断支援システム。
【請求項５】
前記美肌総合評価画面処理手段は、前記肌評価の美肌総合評価画面から前記項目が選択されると前記状態画面処理手段，説明画面処理手段又は案内画面処理手段を利用して、前記項目に応じた状態画面，説明画面又は案内画面を表示装置に表示することを特徴とする請求項１乃至４何れか一項記載の美肌診断支援システム。
【請求項６】
少なくとも記憶装置，演算処理装置を備えたコンピュータにおいて実行される美肌診断支援プログラムであって、
前記演算処理装置は、
患者を測定した肌診断機器から測定データを受信し、前記測定データから前記患者の肌状態を美しい肌の要素で表した肌評価の美肌総合評価画面を作成して表示装置に表示する美肌総合評価画面処理手段と、
前記測定データから前記患者の肌状態を所定の項目毎に表した状態画面を作成して表示装置に表示する状態画面処理手段と、
前記患者の肌の状態を説明する為の説明画面を記憶装置から読み出して表示装置に表示する説明画面処理手段と、
美容皮膚科施術を案内する為の案内画面を記憶装置から読み出して表示装置に表示する案内画面処理手段として機能し、
前記美しい肌の要素は１つ以上の前記項目から構成され、測定による肌状態の評価と美容皮膚科診療の導入とを支援する美肌診断支援プログラム。
【発明の詳細な説明】
【技術分野】
【０００１】
本発明は、美肌診断支援システムおよび美肌診断支援プログラムに係り、特に測定による肌状態の評価と美容皮膚科診療の導入とを支援する美肌診断支援システムおよび美肌診断支援プログラムに関する。
【背景技術】
【０００２】
近年、美容皮膚科診療を中心に行なう様々な皮膚科クリニック（以下、単にクリニックという）が開設されるようになった。クリニックでは、様々な美容皮膚科施術を用いることにより、くすみ，しわ，しみ等の患者の肌の悩みを改善している。
【０００３】
また、近年、肌診断機器を用いて肌の特性を測定し、その測定値に基づいて肌状態を客観的に評価する肌評価が行われている（例えば特許文献１参照）。
【特許文献１】特開平１１−２８１９３号公報
【発明の開示】
【発明が解決しようとする課題】
【０００４】
しかしながら、従来のクリニックでは患者の肌の悩みを改善できる美容皮膚科施術を選択して患者に案内する場合、肌評価の結果，肌状態の説明および美容皮膚科施術の案内を表した資料を用いて説明していた。
【０００５】
従って、従来のクリニックでは医師等がその場で絵を描いて説明するので無ければ、肌評価の結果，肌状態の説明および美容皮膚科施術の案内を資料にして予め準備しておく必要があった。この結果、肌評価の結果，肌状態の説明および美容皮膚科施術の案内を患者に提示しづらいという問題があった。また、肌評価の結果，肌状態の説明および美容皮膚科施術の案内の資料は関連付けて管理しておく必要があり、管理が煩雑であるという問題もあった。
【０００６】
本発明は、上記の点に鑑みなされたもので、肌評価の結果，肌状態の説明および美容皮膚科施術の案内を患者に提示し易く、且つ管理が容易な美肌診断支援システムおよび美肌診断支援プログラムを提供することを目的とする。
【課題を解決するための手段】
【０００７】
上記課題を解決する為、本発明は、測定による肌状態の評価と美容皮膚科診療の導入とを支援する美肌診断支援システムであって、患者を測定した肌診断機器から測定データを受信し、前記測定データから前記患者の肌状態を美しい肌の要素で表した肌評価の美肌総合評価画面を作成して表示装置に表示する美肌総合評価画面処理手段と、前記測定データから前記患者の肌状態を所定の項目毎に表した状態画面を作成して表示装置に表示する状態画面処理手段と、前記患者の肌の状態を説明する為の説明画面を記憶装置から読み出して表示装置に表示する説明画面処理手段と、美容皮膚科施術を案内する為の案内画面を記憶装置から読み出して表示装置に表示する案内画面処理手段とを有し、前記美しい肌の要素は、１つ以上の前記項目から構成されることを特徴とする。
【０００８】
なお、本発明の構成要素、表現または構成要素の任意の組合せを、方法、装置、システム、コンピュータプログラム、記録媒体、データ構造などに適用したものも本発明の態様として有効である。
【発明の効果】
【０００９】
本発明によれば、肌評価の結果，肌状態の説明および美容皮膚科施術の案内を患者に提示し易く、且つ管理が容易な美肌診断支援システムおよび美肌診断支援プログラムを提供可能である。
【発明を実施するための最良の形態】
【００１０】
次に、本発明を実施するための最良の形態を、以下の実施例に基づき図面を参照しつつ説明していく。
【００１１】
図１は、本発明による美肌診断支援システムの一実施例の構成図である。図１の美肌診断支援システム１は、美肌診断支援装置１０及び肌診断機器１１が、ＬＡＮ等のネットワーク１２を介して接続されている。図１の美肌診断支援システム１は、測定による肌状態の評価と美容皮膚科診療の導入とを支援する為のものである。
【００１２】
肌診断機器１１は、複数種類の肌の特性を測定及び解析可能な１種類以上の測定機器により構成される。例えば肌診断機器１１は部分画像の測定及び解析が可能な皮膚拡大マイクロスコープであるＳＭＡ（Ｓｋｉｎ  Ｍｉｃｒｏ  Ａｎａｌｙｚｅｒ）と、全顔画像の測定及び解析が可能な全画画像測定システムであるＳＩＡ（Ｓｋｉｎ  Ｉｍａｇｅ  Ａｎａｌｙｚｅｒ）とで構成することができる。なお、特開２０００−３５０７０２号公報には、ＳＭＡの一例が記載されている。
【００１３】
ＳＭＡは、キメ解析，シミ画像，肌色解析，皮脂解析等が可能である。また、ＳＩＭはシワ・毛穴解析，シミ解析，ポルフィリン解析等が可能である。肌診断機器１１は、測定した各種測定データを美肌診断支援装置１０に送信する。なお、肌診断機器１１は美肌診断支援装置１０から要求があったあとで測定データを送信するようにしてもよし、図示しないサーバ経由で測定データを送信するようにしてもよい。
【００１４】
美肌診断支援装置１０は、肌診断機器１１から受信した患者の測定データから後述するような肌評価の美肌総合評価画面，状態画面，説明画面および案内画面を表示装置に適宜表示することで、理想の肌から見た現状の肌状態の評価，美容皮膚科診療の紹介および美容皮膚科施術後のシミュレーション等を行なうことができる。
【００１５】
図２は、美肌診断支援装置の一例の構成図である。美肌診断支援装置１０は、それぞれバスＢで相互に接続されている入力装置２１，出力装置２２，ドライブ装置２３，補助記憶装置２４，メモリ装置２５，演算処理装置２６およびインターフェース装置２７で構成される。
【００１６】
入力装置２１は、キーボードやマウスなどで構成されており、各種信号を入力する為に用いられる。出力装置２２は、ディスプレイ等の表示装置やプリンタ等の印刷装置で構成されており、各種ウインドウやデータ等を表示する為に用いられる。インターフェース装置２７は、モデム，ＬＡＮカードなどで構成されており、ネットワーク１２に接続する為に用いられる。
【００１７】
本発明の美肌診断支援プログラムは、美肌診断支援装置１０を制御する各種プログラムの少なくとも一部である。美肌診断支援プログラムは例えば記録媒体２８の配布やネットワーク１２からのダウンロードなどによって提供される。美肌診断支援プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００１８】
また、美肌診断支援プログラムを記録した記録媒体２８がドライブ装置２３にセットされると、美肌診断支援プログラムは記録媒体２８からドライブ装置２３を介して補助記憶装置２４にインストールされる。ネットワーク１２からダウンロードされた美肌診断支援プログラムは、インターフェース装置２７を介して補助記憶装置２４にインストールされる。
【００１９】
美肌診断支援装置１０は、インストールされた美肌診断支援プログラムを格納すると共に、必要なファイル，データ等を格納する。メモリ装置２５は、コンピュータの起動時に補助記憶装置２４から美肌診断支援プログラムを読み出して格納する。そして、演算処理装置２６はメモリ装置２５に格納された美肌診断支援プログラムに従って、後述するような各種処理を実現している。
【００２０】
以下の説明では、あるクリニックが用意した美肌診断を患者が受診するときの流れに従って本発明の美肌診断支援装置１０が行なう各種処理を説明する。
【００２１】
図３は、美肌診断の流れを示す一例のフローチャートである。まず、ステップＳ１に進み、美肌診断を受診する患者は問診を受ける。なお、問診は用紙によるものでも構わない。また、ステップＳ１では美肌診断の流れを患者に説明してもよい。
【００２２】
ステップＳ２に進み、患者は肌診断機器１１により肌の特性を測定及び解析する。肌診断機器１１は測定及び解析した患者の肌の特性を測定データとして美肌診断支援装置１０に送信する。ステップＳ３に進み、美肌診断支援装置１０は肌診断機器１１から受信した患者の測定データから図４に示すような肌評価の美肌総合評価画面を作成して表示装置に表示することで、測定による肌状態の評価結果を患者に確認させる。
【００２３】
図４は、肌評価の美肌総合評価画面の一例のイメージ図である。図４の美肌総合評価画面１００は患者の肌状態を美しい肌の要素（色，形，面および質）で表す。また、図４の美肌総合評価画面１００は、左側に要素「色」，「形」，「面」から見た肌状態の評価結果を表し、右側に要素「質」から見た肌状態の評価結果を表している。
【００２４】
美肌総合評価画面１００では、要素「色」が項目「くすみ」及び「シミ・ソバカス」から構成され、要素「形」が項目「目もとのしわ」及び「ほおのたるみ」から構成され、要素「面」が項目「毛穴の目立ち」及び「にきびのできやすさ」から構成され、要素「質」が項目「きめの状態」から構成される。
【００２５】
要素「色」，「形」，「面」から見た肌状態の評価結果は、放射線状に並べられた６本の軸に要素「色」，「形」，「面」を表す各項目を割り当て、各項目の値を表す軸上の位置と６本の軸の接続点とを囲んだ部分の面積により表される。
【００２６】
例えば要素「色」から見た肌状態の評価結果は、項目「くすみ」，「シミ・ソバカス」の値を表す軸上の位置と６本の軸の接続点とを囲んだ部分１０１により表されている。要素「形」から見た肌状態の評価結果は、項目「目もとのしわ」及び「ほおのたるみ」の値を表す軸上の位置と６本の軸の接続点とを囲んだ部分１０２により表されている。また、要素「面」から見た肌状態の評価結果は、項目「毛穴の目立ち」及び「にきびのできやすさ」の値を表す軸上の位置と６本の軸の接続点とを囲んだ部分１０３により表されている。
【００２７】
なお、要素「色」，「形」及び「面」から見た肌状態の評価結果を表す部分１０１〜１０３は色，模様等を異ならせることで視覚的に判別が容易となる。図４の美肌総合評価画面では、要素「色」，「形」及び「面」から見た肌状態の評価結果を表す部分１０１〜１０３が風車状に並べられている。肌状態の評価結果を表す部分１０１〜１０３は現状の肌状態が理想の肌状態に近いほど、大きくなる。
【００２８】
美肌診断支援装置１０は、例えば図５に示すような処理により、患者の測定データから図４に示すような肌評価の美肌総合評価画面を作成する。図５は、美肌総合評価画面作成処理を表した一例のフローチャートである。
【００２９】
ステップＳ１０に進み、美肌診断支援装置１０は肌診断機器１１から患者の測定データを受信する。ステップＳ１１に進み、美肌診断支援装置１０は患者の測定データから美しい肌の要素を構成する項目の値を取得する。
【００３０】
例えば図４の美肌総合評価画面の場合、美肌診断支援装置１０は要素「色」，「形」，「面」，「質」を表す各項目の値を取得する。ステップＳ１２に進み、美肌診断支援装置１０はステップＳ１１で取得した各項目の値を利用して、患者の肌状態を美しい肌の要素毎にグラフ化する。ステップＳ１３に進み、美肌診断支援装置１０はステップＳ１２で作成したグラフ，その他の部品等を所定位置に配置した例えば図４のような美肌総合評価画面１００のイメージを作成する。
【００３１】
したがって、美肌診断支援装置１０は図４のような美肌総合評価画面１００を表示装置に表示できる。なお、美肌診断支援装置１０は美肌総合評価画面１００上の項目が選択されたあとでボタン１０４が押下されると、肌診断機器１１から受信した患者の測定データから状態画面を作成して表示装置に表示することで、測定による肌状態の評価結果を患者に確認させる。
【００３２】
図６はきめの状態を表す状態画面の一例のイメージ図である。図７はくすみの状態を表す状態画面の一例のイメージ図である。図８はシミ・ソバカスの状態を表す状態画面の一例のイメージ図である。図９は目もとのしわの状態を表す状態画面の一例のイメージ図である。図１０はほおのたるみの状態を表す状態画面の一例のイメージ図である。図１１は毛穴の目立ちの状態を表す状態画面の一例のイメージ図である。図１２はにきびのできやすさを表す状態画面の一例のイメージ図である。
【００３３】
図６〜図１２の状態画面も図４の美肌総合評価画面と同様、受信した患者の測定データから項目の値および項目の画像を取得し、その項目の値および項目の画像を利用して作成される。したがって、美肌診断支援装置１０は図６〜図１２のような状態画面を表示装置に表示できる。
【００３４】
図３のステップＳ３に続いてステップＳ４に進み、患者はステップＳ１の問診やステップＳ２及びＳ３の測定による肌状態の評価結果に基づき、医師による診断を受ける。医師による診断では、美肌診断支援装置１０が表示する図４の美肌総合評価画面および図６〜図１２の状態画面を利用してもよい。ステップＳ５に進み、患者は肌状態の評価結果に基づきカウンセリングを受ける。カウンセリングには、美肌診断支援装置１０が表示する説明画面を利用できる。
【００３５】
美肌診断支援装置１０は美肌総合評価画面１００上の項目が選択されたあとでボタン１０５が押下されると、肌の状態を項目ごとに説明する為の説明画面（静止画または動画の何れであってもよい）を作成し、説明画面を表示装置に表示することで、患者への肌の状態の説明が容易となる。美肌診断支援装置１０は説明画面の作成に必要なデータを自機の補助記憶装置２４又は外部の記憶装置から取得する。
【００３６】
図１３は肌あれの状態を説明する説明画面の一例のイメージ図である。例えば美肌総合評価画面１００上の項目「きめの状態」が選択されたあとでボタン１０５が押下されると、美肌診断支援装置１０は図１３のような肌あれの状態を説明する説明画面を表示する。
【００３７】
図１４はくすみ（透明感）の状態を説明する説明画面の一例のイメージ図である。例えば美肌総合評価画面１００上の項目「くすみ」が選択されたあとでボタン１０５が押下されると、美肌診断支援装置１０は図１４のようなくすみ（透明感）の状態を説明する説明画面を表示する。
【００３８】
図１５は、シミ・ソバカスの状態を説明する説明画面の一例のイメージ図である。例えば美肌総合評価画面１００上の項目「シミ・ソバカス」が選択されたあとでボタン１０５が押下されると、美肌診断支援装置１０は図１５のようなシミ・ソバカスの状態を説明する説明画面を表示する。
【００３９】
図１６はしわの状態を説明する説明画面の一例のイメージ図である。図１７ははり・たるみの状態を説明する説明画面の一例のイメージ図である。例えば美肌総合評価画面１００上の項目「目もとのしわ」又は項目「ほおのたるみ」が選択されたあとでボタン１０５が押下されると、美肌診断支援装置１０は図１６のようなしわの状態を説明する説明画面を表示する。図１６の説明画面上のボタン１００１が押下されると、美肌診断支援装置１０は図１７のようなはり・たるみの状態を説明する説明画面を表示する。
【００４０】
図１８は開大毛穴の状態を説明する説明画面の一例のイメージ図である。図１９は毛穴の汚れ・黒ずみの状態を説明する説明画面の一例のイメージ図である。例えば美肌総合評価画面１００上の項目「毛穴の目立ち」が選択されたあとでボタン１０５が押下されると、美肌診断支援装置１０は図１８のような開大毛穴の状態を説明する説明画面を表示する。図１８の説明画面上のボタン１１０１が押下されると、美肌診断支援装置１０は図１９のような毛穴の汚れ・黒ずみの状態を説明する説明画面を表示する。
【００４１】
図２０は思春期のにきびの状態を説明する説明画面の一例のイメージ図である。図２１は大人のにきびの状態を説明する説明画面の一例のイメージ図である。例えば美肌総合評価画面１００上の項目「にきびのできやすさ」が選択されたあとでボタン１０５が押下されると、美肌診断支援装置１０は図２０のような思春期のにきびの状態を説明する説明画面を表示する。図２０の説明画面上のボタン１２０１が押下されると、美肌診断支援装置１０は図２１のような大人のにきびの状態を説明する説明画面を表示する。
【００４２】
なお、図１３〜図２１の説明画面上には、赤み，くまの状態を説明する説明画面に遷移する為のボタンが設けられている。図２２は赤みの状態を説明する説明画面の一例のイメージ図である。図２３はくまの状態を説明する説明画面の一例のイメージ図である。
【００４３】
図３のステップＳ５に続いてステップＳ６に進み、例えばカウンセラーはステップＳ１の問診やステップＳ２及びＳ３の測定による肌状態の評価結果に基づき、お勧めの美容皮膚科施術を案内する。美容皮膚科施術の案内は、美肌診断支援装置１０の表示する案内画面を用いて行なうことができる。
【００４４】
美肌診断支援装置１０は美肌総合評価画面１００上に美容皮膚科施術を選択する為のボタン群１０６を設けている。図４の美肌総合評価画面１００では、美容皮膚科施術としてケミカルピーリング，イオン導入，コラーゲン・ヒアルロン酸注入，ボトックス注射，シミ取りレーザー，脱毛レーザー，レーザーフェーシャル，炭酸ガスレーザーを選択する為のボタン群１０６が設けられている。
【００４５】
ボタン群１０６から何れかの美容皮膚科施術を表すボタンが押下されると、美肌診断支援装置１０は美容皮膚科施術を案内する案内画面を作成し、案内画面を表示装置に表示することで、患者への美容皮膚科施術の案内が容易となる。美肌診断支援装置１０は案内画面の作成に必要なデータを自機の補助記憶装置２４又は外部の記憶装置から取得する。
【００４６】
図２４はケミカルピーリングを案内する案内画面の一例のイメージ図である。例えば美肌総合評価画面１００上のボタン群１０６からケミカルピーリングを表すボタンが押下されると、美肌診断支援装置１０は図２４のようなケミカルピーリングを案内する案内画面を表示する。
【００４７】
図２５はイオン導入を案内する案内画面の一例のイメージ図である。例えば美肌総合評価画面１００上のボタン群１０６からイオン導入を表すボタンが押下されると、美肌診断支援装置１０は図２５のようなイオン導入を案内する案内画面を表示する。
【００４８】
図２６は、コラーゲン・ヒアルロン酸注入を案内する案内画面の一例のイメージ図である。例えば美肌総合評価画面１００上のボタン群１０６からコラーゲン・ヒアルロン酸注入を表すボタンが押下されると、美肌診断支援装置１０は図２６のようなコラーゲン・ヒアルロン酸注入を案内する案内画面を表示する。
【００４９】
図２７はボトックス注射を案内する案内画面の一例のイメージ図である。例えば美肌総合評価画面１００上のボタン群１０６からボトックス注射を表すボタンが押下されると、美肌診断支援装置１０は図２７のようなボトックス注射を案内する案内画面を表示する。
【００５０】
図２８はシミ取りレーザーを案内する案内画面の一例のイメージ図である。例えば美肌総合評価画面１００上のボタン群１０６からシミ取りレーザーを表すボタンが押下されると、美肌診断支援装置１０は図２８のようなシミ取りレーザーを案内する案内画面を表示する。
【００５１】
図２９は脱毛レーザーを案内する案内画面の一例のイメージ図である。美肌総合評価画面１００上のボタン群１０６から脱毛レーザーを表すボタンが押下されると、美肌診断支援装置１０は図２９のような脱毛レーザーを案内する案内画面を表示する。
【００５２】
図３０はレーザーフェーシャルを案内する案内画面の一例のイメージ図である。美肌総合評価画面１００上のボタン群１０６からレーザーフェーシャルを表すボタンが押下されると、美肌診断支援装置１０は図３０のようなレーザーフェーシャルを案内する案内画面を表示する。
【００５３】
図３１は炭酸ガスレーザーを案内する案内画面の一例のイメージ図である。美肌総合評価画面１００上のボタン群１０６から炭酸ガスレーザーを表すボタンが押下されると、美肌診断支援装置１０は図３０のような炭酸ガスレーザーを案内する案内画面を表示する。
【００５４】
図３のステップＳ６に続いてステップＳ７に進み、例えばカウンセラーは美容皮膚科施術後のイメージのシミュレーションを行い、患者に美容皮膚科施術を受けた後のイメージを提示する。美容皮膚科施術を受けた後のイメージの提示は、美肌診断支援装置１０の表示するシミュレーション画面を用いて行なうことができる。
【００５５】
美肌診断支援装置１０は美肌総合評価画面１００上に美容皮膚科施術後のイメージのシミュレーションを行なう為のボタン１０７を設けている。ボタン１０７が押下されると、美肌診断支援装置１０は患者に美容皮膚科施術を受けた後のイメージを提示するシミュレーション画面を作成し、シミュレーション画面を表示装置に表示することで、患者への美容皮膚科施術の有効性の案内が容易となる。美肌診断支援装置１０は、シミュレーション画面の作成に必要なデータを自機の補助記憶装置２４又は外部の記憶装置から取得する。
【００５６】
そして、ステップＳ１〜Ｓ７までの流れにより、患者は理想の肌から見た現状の肌状態の評価，美容皮膚科施術の有効性を理解した上で、美容皮膚科施術を受けるか否かを選択することができる。
【００５７】
患者が美容皮膚科施術を受けることを選択すると、ステップＳ８に進み、医師又はスタッフは患者に対して美容皮膚科施術を行なう。美容皮膚科施術のあと、例えばカウンセラーは化粧品のアドバイス，トライアルセットの提供、ホームケアーの必要性の案内，肌改善の為のアドバイス等を行なう。以上、図３に示したステップＳ１〜Ｓ８の流れにより、美肌診断は終了となる。
【００５８】
本発明による美肌診断支援装置１０は、肌評価の結果，肌状態の説明および美容皮膚科施術の案内を画面上で行なうことができる。したがって、本発明による美肌診断支援装置１０は肌評価の結果，肌状態の説明および美容皮膚科施術の案内を資料にして予め準備しておく必要がない。
【００５９】
また、本発明による美肌診断支援装置１０は肌評価の美肌総合評価画面，肌評価の状態画面，肌の状態を説明する為の説明画面および美容皮膚科施術を案内する為の案内画面を関連付けて管理しているため、必要な画面への遷移が容易である。このように、本発明による美肌診断支援装置１０は肌評価の結果，肌状態の説明および美容皮膚科施術の案内を患者に提示し易く、且つ管理が容易である。
【００６０】
本発明は、具体的に開示された実施例に限定されるものではなく、特許請求の範囲から逸脱することなく、種々の変形や変更が可能である。
【図面の簡単な説明】
【００６１】
【図１】本発明による美肌診断支援システムの一実施例の構成図である。
【図２】美肌診断支援装置の一例の構成図である。
【図３】美肌診断の流れを示す一例のフローチャートである。
【図４】肌評価の美肌総合評価画面の一例のイメージ図である。
【図５】美肌総合評価画面作成処理を表した一例のフローチャートである。
【図６】きめの状態を表す状態画面の一例のイメージ図である。
【図７】くすみの状態を表す状態画面の一例のイメージ図である。
【図８】シミ・ソバカスの状態を表す状態画面の一例のイメージ図である。
【図９】目もとのしわの状態を表す状態画面の一例のイメージ図である。
【図１０】ほおのたるみの状態を表す状態画面の一例のイメージ図である。
【図１１】毛穴の目立ちの状態を表す状態画面の一例のイメージ図である。
【図１２】にきびのできやすさを表す状態画面の一例のイメージ図である。
【図１３】肌あれ（きめ）の状態を説明する説明画面の一例のイメージ図である。
【図１４】くすみ（透明感）の状態を説明する説明画面の一例のイメージ図である。
【図１５】シミ・ソバカスの状態を説明する説明画面の一例のイメージ図である。
【図１６】しわの状態を説明する説明画面の一例のイメージ図である。
【図１７】はり・たるみの状態を説明する説明画面の一例のイメージ図である。
【図１８】開大毛穴の状態を説明する説明画面の一例のイメージ図である。
【図１９】毛穴の汚れ・黒ずみの状態を説明する説明画面の一例のイメージ図である。
【図２０】思春期のにきびの状態を説明する説明画面の一例のイメージ図である。
【図２１】大人のにきびの状態を説明する説明画面の一例のイメージ図である。
【図２２】赤みの状態を説明する説明画面の一例のイメージ図である。
【図２３】くまの状態を説明する説明画面の一例のイメージ図である。
【図２４】ケミカルピーリングを案内する案内画面の一例のイメージ図である。
【図２５】イオン導入を案内する案内画面の一例のイメージ図である。
【図２６】コラーゲン・ヒアルロン酸注入を案内する案内画面の一例のイメージ図である。
【図２７】ボトックス注射を案内する案内画面の一例のイメージ図である。
【図２８】シミ取りレーザーを案内する案内画面の一例のイメージ図である。
【図２９】脱毛レーザーを案内する案内画面の一例のイメージ図である。
【図３０】レーザーフェーシャルを案内する案内画面の一例のイメージ図である。
【図３１】炭酸ガスレーザーを案内する案内画面の一例のイメージ図である。
【符号の説明】
【００６２】
１    美肌診断支援システム
１０    美肌診断支援装置
１１    肌診断機器
１２    ネットワーク
２１    入力装置
２２    出力装置
２３    ドライブ装置
２４    補助記憶装置
２５    メモリ装置
２６    演算処理装置
２７    インターフェース装置
１００    肌評価の美肌総合評価画面
【図１】
2007130104.tif 000003
【図２】
2007130104.tif 000004
【図３】
2007130104.tif 000005
【図５】
2007130104.tif 000006
【図１３】
2007130104.tif 000007
【図１４】
2007130104.tif 000008
【図１９】
2007130104.tif 000009
【図２２】
2007130104.tif 000010
【図２４】
2007130104.tif 000011
【図２５】
2007130104.tif 000012
【図２６】
2007130104.tif 000013
【図２９】
2007130104.tif 000014
【図３１】
2007130104.tif 000015
【図４】
2007130104.tif 000016
【図６】
2007130104.tif 000017
【図７】
2007130104.tif 000018
【図８】
2007130104.tif 000019
【図９】
2007130104.tif 000020
【図１０】
2007130104.tif 000021
【図１１】
2007130104.tif 000022
【図１２】
2007130104.tif 000023
【図１５】
2007130104.tif 000024
【図１６】
2007130104.tif 000025
【図１７】
2007130104.tif 000026
【図１８】
2007130104.tif 000027
【図２０】
2007130104.tif 000028
【図２１】
2007130104.tif 000029
【図２３】
2007130104.tif 000030
【図２７】
2007130104.tif 000031
【図２８】
2007130104.tif 000032
【図３０】
2007130104.tif 000033